(57)【要約】【課題】スロットユニットの取り付け強度を向上させ、耐衝撃性を向上させることができるとともに、破損した部品による装置内の導電部の電気的ショートを防止する。【解決手段】ノートパソコンに対して例えば矢印Ｅに示す方向へ大きな衝撃が加わり、規制部材５０が破損し、規制部材５０の破片が基板１１の導電パターンやコネクタなどの導電部に接触したとしても、本実施の形態の規制部材５０は樹脂などの絶縁材料で形成されているため、導電部において電気的ショートを発生しにくくすることができる。【選択図】図５
2010257080.tif 000002
【特許請求の範囲】
【請求項１】
半導体素子を内蔵したカード状媒体を挿脱可能なスロットを備えたスロットユニットと、
前記スロットユニットが固定された回路基板と、
前記回路基板を内包した筐体とを備えた情報処理装置であって、
前記スロットユニットにおける前記カード状媒体の挿脱口近傍に配され、前記スロットユニットの前記カード状媒体挿脱方向に直交する方向への変位を規制可能な規制部材を備え、
前記規制部材は、絶縁性材料で形成されている、情報処理装置。
【請求項２】
前記規制部材は、前記スロットユニットにおける、前記カード状媒体の挿脱方向に直交する方向において対向する一対の側面に、当接可能である、請求項１記載の情報処理装置。
【発明の詳細な説明】
【技術分野】
【０００１】
本発明は、スロットユニットを備えた情報処理装置に関する。
【背景技術】
【０００２】
近年、ノート型パーソナルコンピューター（以下、パソコンと称する）などの情報処理装置には、ＰＣＭＣＩＡ（Personal Computer Memory Card International Association）規格に準拠したカード（以下、ＰＣＭＣＩＡカードと称する）を着脱可能なスロットを備えていることが多い。このカードは、信号処理を行う半導体素子や、各種情報を記録可能な半導体素子が内蔵されている。ＰＣＭＣＩＡカードは、以前は使用者が任意に情報を記録することができる記録媒体として利用されることが多かったが、最近では通信回路やアンテナを内蔵し、無線通信が可能なＰＣＭＣＩＡカードも登場している。このような無線通信が可能なＰＣＭＣＩＡカードは、情報の送受信感度を安定させるために、パソコンに装着した状態でアンテナ部分がパソコンから突出する構成となっていることが多い。
【０００３】
図１０は、従来のパソコンの斜視図である。図１０に示すように、パソコンは、第１の筐体１０１と第２の筐体１０２とが互いに回動自在となるように、ヒンジ部１０３に支持されている。第１の筐体１０１には、ＣＰＵ（中央演算処理装置）やハードディスクドライブなどが内蔵されている。第２の筐体１０２は、液晶ディスプレイ１０２ａを備えている。第１の筐体１０１には、ＰＣカード１２０を挿脱可能な挿脱口を有するスロットユニット１０４を側面に備えている。なお、ＰＣＭＣＩＡカード１２０は、各種信号処理を実行可能な半導体素子が内蔵された本体部１２１と、アンテナが内蔵されたアンテナ部１２２とを備えている。
【０００４】
図１１は、スロットユニット１０４にＰＣＭＣＩＡカード１２０が挿入された状態を示す平面図である。図１１に示すように、ＰＣＭＣＩＡカード１２０をスロットユニット１０４に挿入した場合、アンテナ部１２２が第１の筐体１０１から突出した状態になる。これは、アンテナ部１２２に内蔵されたアンテナの送受信性能を向上させるためである。
【０００５】
しかし、図１０及び図１１に示す情報処理装置では、ＰＣＭＣＩＡカード１２０をスロットユニット１０４に挿入した状態において、アンテナ部１２２が第１の筐体１０１から突出した状態となるため、誤ってパソコンを高い位置から床などに落下させてしまい、アンテナ部１２２を床などに衝突させてしまった場合、ＰＣＭＣＩＡカード１２０に対して衝撃（例えば矢印Ｙに示す方向の衝撃）が加わる。これにより、ＰＣＭＣＩＡカード１２０やスロットユニット１０４が破損してしまう可能性がある。
【０００６】
特許文献１〜４は、スロットユニットの開口部近傍の剛性を上げて、ＰＣＭＣＩＡカードやスロットユニットの破損を防止する技術を開示している。
【先行技術文献】
【特許文献】
【０００７】
【特許文献１】特開平６−１３１５０８号公報
【特許文献２】特開平７−９３４９０号公報
【特許文献３】特開２００７−１２０２５号公報
【特許文献４】特開平１１−３２８８１０号公報
【発明の概要】
【発明が解決しようとする課題】
【０００８】
従来のスロットユニットでは、一部がパソコンの筐体より突出したＰＣＭＣＩＡカードを挿したまま、高い位置から落下させた際の落下衝撃、またはマウス操作時や外部接続端子への接続時等に不用意に手が触れるなどで、こじる方向（図１１の矢印Ｙに示す方向）に衝撃が加わると、スロットユニットが変形または破損する可能性がある。
【０００９】
スロットユニットを固定するビスをスロットユニットのカード挿入口近傍に配置することで、耐落下衝撃は向上すると予想されるが、カード挿入口付近にはアースを取るための構造や取り出しレバーを配置する必要があるため、ビスをスロットユニットのカード挿入口近傍に配置することは困難である。
【００１０】
また、特許文献１〜４が開示しているように、スロットユニットの開口部近傍を固定部材により剛性を上げる構成では、パソコンの筐体より突出したＰＣＭＣＩＡカードに対してこじる方向（図１１の矢印Ｙに示す方向）に大きな衝撃が加わると、固定部材が破損する可能性がある。この時、固定部材が金属で形成されていると、固定部材の破片（金属片）がパソコンに内蔵された回路基板などの導電部に接触することがあり、電気的ショートが発生する可能性がある。
【００１１】
本発明の目的は、スロットユニットの取り付け強度を向上させ、耐衝撃性を向上させることができるとともに、破損した部品による装置内の導電部の電気的ショートを防止することができる情報処理装置を実現することである。
【課題を解決するための手段】
【００１２】
本発明の情報処理装置は、半導体素子を内蔵したカード状媒体を挿脱可能なスロットを備えたスロットユニットと、前記スロットユニットが固定されている回路基板と、前記回路基板が装着される筐体とを備えた情報処理装置であって、前記スロットユニットにおける前記カード状媒体の挿脱口近傍に配され、前記スロットユニットの前記カード状媒体挿脱方向に直交する方向への変位を規制可能な規制部材を備え、前記規制部材は、絶縁性材料で形成されている。
【発明の効果】
【００１３】
本発明によれば、スロットユニットの取り付け強度を向上させ、耐衝撃性を向上させることができる。また、破損した部品による装置内の導電部の電気的ショートを防止することができる。
【図面の簡単な説明】
【００１４】
【図１】本実施の形態における情報処理装置の外観を示す斜視図
【図２】本実施の形態における情報処理装置の外観を示す斜視図
【図３】スロットユニット近傍の斜視図
【図４】スロットユニット近傍の平面図
【図５】図４におけるＺ−Ｚ部の断面図
【図６】本実施の形態の情報処理装置の変形例を示す断面図
【図７】スロットユニットの変形例の平面図
【図８】図７におけるＺ−Ｚ部の断面図
【図９】本実施の形態の情報処理装置の変形例を示す断面図
【図１０】従来の情報処理装置の斜視図
【図１１】従来の情報処理装置の要部平面図
【発明を実施するための形態】
【００１５】
本発明の情報処理装置において、前記規制部材は、前記スロットユニットにおける、前記カード状媒体の挿脱方向に直交する方向において対向する一対の側面に、当接可能な構成とすることができる。
【００１６】
（実施の形態）
図１は、本実施の形態の情報処理装置の一例であるノートパソコンの外観を示す斜視図である。図２は、ノートパソコンのスロットユニットにＰＣＭＣＩＡ規格に準拠したカードを挿入した状態を示す斜視図である。なお、本実施の形態では、情報処理装置の一例としてノートパソコンを挙げたが、携帯電話端末や携帯型ゲーム機などのように、半導体素子を内蔵したカードを装着可能なカードスロットを備えたスロットユニットを装備した情報処理装置であればよい。
【００１７】
図１に示すように、ノートパソコンは、情報処理回路が実装された電気回路基板やハードディスクドライブなどを内蔵した第１の筐体１と、液晶ディスプレイ２ａを備えた第２の筐体２とを備えている。第１の筐体１と第２の筐体２とは、ヒンジ部３によって互いに回動自在に支持されている。第２の筐体２を、図１に示す位置（第１の状態）から矢印Ａに示す方向へ回動させることで、液晶ディスプレイ２ａとキーボード５とが近接対向した第２の状態へ移行させることができる。また、第２の状態において第２の筐体２と対向する第１の筐体１の面を上側とすると、第１の筐体１の上面１ａには、各種文字の入力操作が可能なキーボード５と、液晶ディスプレイ２ａに表示されるカーソルを所望の位置へ移動する操作が可能なポインティングデバイス６とを備えている。なお、キーボード５やハードディスクドライブなどから入出力された情報信号は、情報処理回路（図示は省略）で所定の処理を施し、例えば液晶ディスプレイ２ａで表示する表示信号などに変換される。また、第１の筐体１の側面には、ＰＣＭＣＩＡ規格に準拠したカード２０（以下、ＰＣＭＣＩＡカードと称する）を挿脱可能な挿脱口を有するスロットユニット４を備えている。
【００１８】
ＰＣＭＣＩＡカード２０は、半導体記憶素子を内蔵し記憶媒体として利用されるカードや、通信回路を内蔵し有線または無線で通信が可能なカードなど、様々なカードがあるが、本実施の形態では無線通信が可能なＰＣＭＣＩＡカードとした。本実施の形態のＰＣＭＣＩＡカード２０は、略板状の本体部２１と、略直方体のアンテナ部２２とから構成されている。本体部２１は、各種信号処理や情報記憶が可能な半導体素子が内蔵されている。また、本体部２１におけるアンテナ部２２に対向する端部には、端子２１ａが配され、スロットユニット４内に配されたコネクタ４０ａ（後述）と電気的に接続することができる。アンテナ部２２は、通信回路やアンテナが内蔵されている。ＰＣＭＣＩＡカード２０は、端子２１ａがスロットユニット４の挿入口に対向する姿勢から、図１の矢印Ｂに示す方向にスロットユニット４内へ挿入することができる。図２に示すように、ＰＣＭＣＩＡカード２０は、スロットユニット４に挿入された状態では、本体部２１がスロットユニット４内に収容されるが、アンテナ部２２はスロットユニット４内に収容されず、第１の筐体１から突出した状態になる。
【００１９】
図２に示すように、スロットユニット４に通信機能を有するＰＣＭＣＩＡカード２０を挿入することにより、ノートパソコンで無線通信が可能になる。本実施の形態のＰＣＭＣＩＡカード２０は、スロットユニット４に挿入された状態において、アンテナ部２２が第１の筐体１から突出するため、無線電波の受信及び送信感度を向上させることができる。
【００２０】
以下、スロットユニット４の保持構造について詳しく説明する。
【００２１】
図３は、ノートパソコン内部におけるスロットユニット４近傍の斜視図である。図４は、ノートパソコン内部におけるスロットユニット４近傍の平面図である。図５は、図４におけるＺ−Ｚ部の断面図である。なお、スロットユニット４及び基板１１は、第１の筐体１（図１等参照）内に収容されているが、図３及び図４ではスロットユニット４及び基板１１を明瞭に図示するために第１の筐体１の図示は省略している。
【００２２】
第１の筐体１は、上部筐体１２と下部筐体１３とを備えている。第1の筐体１は、上部筐体１２と下部筐体１３とを接合することにより形成された内部空間を有する。その内部空間には、スロットユニット４や基板１１などが配されている。
【００２３】
スロットユニット４は、第１の筐体１内に配された基板１１にネジ４４によって機械的に固定されているとともに、基板１１に形成された導電部に電気的に接続されている（導電部との接続構成は不図示）。また、スロットユニット４は、本体部４０、取り出しレバー４２、リブ４３及び接地電極４５を備えている。
【００２４】
本体部４０は、略直方体の筐体で形成され、一方の端部が開口したカード収納部４１を有する。また、本体部４０は、アルミニウムなどの金属で主に形成されている。また、本体部４０は、表面が鍍金されている構成としてもよい。また、カード収納部４１において開口部（挿脱口）４１ａに対向する内面には、ＰＣＭＣＩＡカード２０の端子２１ａと接続可能なコネクタ４０ａを備えている。
【００２５】
取り出しレバー４２は、矢印Ｃに示す方向へ押圧操作可能に配されている。取り出しレバー４２は、ＰＣＭＣＩＡカード２０が未挿入の状態では図４に示す位置にあるが、ＰＣＭＣＩＡカード２０を本体部４０に挿入し、端子２１ａとコネクタ４０ａとが接続する位置まで挿入することにより、図４に示す位置から僅かに矢印Ｄに示す方向へ変位する。スロットユニット４にＰＣＭＣＩＡカード２０が挿入された状態において、取り出しレバー４２を矢印Ｃに示す方向へ押圧操作することにより、ＰＣＭＣＩＡカード２０を矢印Ｄに示す方向へ引き出すことができる。なお、ＰＣＭＣＩＡカード２０を矢印Ｄに示す方向へ引き出す機構の詳しい説明については、周知であるため省略する。
【００２６】
ＰＣＭＣＩＡカード２０は、使用者がスロットユニット４に挿脱できる。従って、例えば、使用者に静電気が帯電している場合等に、ＰＣＭＣＩＡカード２０をスロットユニット４に挿入すると、端子２１ａからコネクタ４０ａに放電することがある。この放電を防止するため、ＰＣＭＣＩＡカード２０を挿入する開口部４１ａに接地電極４５を備えることが規格で規定されている。そのため、カード収納部４１において取り出しレバー４２が配置されている開口部４１ａの側面４１ｂ及び側面４１ｂに対向する側面４１ｃのそれぞれに、側面４１ｂ及び４１ｃの一部を切り欠くことで板バネ状とした一対の接地電極４５を備える。
【００２７】
リブ４３は、本体部４１におけるＰＣＭＣＩＡカード２０の挿脱方向に直交する方向の両端部にそれぞれ配されている。リブ４３は、ネジ４４を挿通可能な開口部が形成されている。ネジ４４を、リブ４３に形成された開口部を挿通させ、基板１１に形成されたネジ穴（不図示）に螺合させることにより、スロットユニット４を基板１１に固定することができる。なお、リブ４３は、できるだけ開口部４１ａに近い位置に配置することが好ましいが、図４に示すように開口部４１ａの側面４１ｂの近傍には取り出しレバー４２が配置され、両側面４１ｂ及び４１ｃには一対の接地電極４５が配置されており、しかも規格上、接地電極４５は開口部４１ａの直近に備える必要がある。したがって、側面４１ｂ及び４１ｃにおける開口部４１ａの直近を係止することは事実上不可能であるため、本実施の形態では取り出しレバー４２に隣接する位置に一対のリブ４３を配置した。
【００２８】
図４に示すように、本体部４０における開口部４１ａの近傍には、規制部材５０が配されている。図５に示すように、規制部材５０は、断面形状が略コの字状に形成されている。規制部材５０は、樹脂などの絶縁材料で形成されている。規制部材５０におけるＰＣＭＣＩＡカード２０の挿脱方向に直交する方向の両端部の内の一方は、本体部４０の取り出しレバー４２側の側面４０ｄが当接可能な第１の当接部５０ｂを有し、他方の端部に本体部４０の側面４０ｃが当接可能な第２の当接部５０ｃを有する。第１の当接部５０ｂと側面４０ｄ、および第２の当接部５０ｃと側面４０ｃとは、スロットユニット４に衝撃が印加されていない状態において僅かな隙間を挟んで対向する構成としたが、スロットユニット４に衝撃が印加されていない状態において既に当接していてもよい。
【００２９】
なお、リブ４３は、開口部４１ａに最も近い位置（スロットユニット４におけるカード挿脱方向の端部）に配置することが好ましいが、スロットユニット４における開口部４１ａ直近に一対の接地電極４５が形成されているため、開口部４１ａ近傍にリブ４３を配置することは事実上不可能である。本実施の形態では、図４に示すように、リブ４３をスロットユニット４におけるカード挿脱方向の略中央に配している。
【００３０】
さらに、スロットユニット４にＰＣＭＣＩＡカード２０を未挿入状態で放置した際に、開口部４１ａから埃等が本体部４０に入り、本体部４０内やコネクタ４０ａに対する汚染を防止するため、第１の筐体１に備えるＰＣＭＣＩＡカード２０の挿入口と開口部４１ａとの間に開閉窓等を備えてもよい。
【００３１】
上記のような本実施の形態の情報処理装置において、図２に示すように、スロットユニット４にＰＣＭＣＩＡカード２０を挿入した状態で、ノートパソコンを誤って床等に落下させてしまうと、第１の筐体１から突出しているアンテナ部２２を床等に衝突させてしまう可能性がある。また、マウス操作過程や外部ディスプレイと接続する過程等の外部機器操作時等に、不用意にアンテナ部２２に接触してしまう可能性がある。このように第１の筐体１から突出しているアンテナ部２２を床や操作している手等と衝突させ、ＰＣＭＣＩＡカード２０に対して矢印ＥまたはＦに示す方向への衝撃が加わった場合、ＰＣＭＣＩＡカード２０はスロットユニット４に保持されているため、スロットユニット４に対しても矢印ＥまたはＦに示す方向の力が加わる。
【００３２】
図４に示すように、スロットユニット４は、ネジ４４により基板１１に固定されているとともに、図５に示すように、本体部４０における開口部４１ａの近傍に規制部材５０を配置していることにより、スロットユニット４に対して矢印Ｅに示す方向の力が加わったとしても、スロットユニット４における開口部４１ａの近傍は大きく変位しない。すなわち、スロットユニット５に対して矢印Ｅに示す方向の力が加わった場合、スロットユニット４の側面４０ｄが規制部材５０の第１の当接部５０ｂに当接することで、スロットユニット４の矢印Ｅに示す方向への変位が規制される。
【００３３】
また、スロットユニット４に対して矢印Ｆに示す方向への力が加わった場合は、スロットユニット４の側面４０ｃが規制部材５０の第２の当接部５０ｃに当接することで、スロットユニット４の矢印Ｆ方向への変位が規制される。したがって、スロットユニット４に対して矢印Ｅに示す方向またはその反対方向の矢印Ｆ方向へ力が加わった際における、スロットユニット４の変形や破損を低減することができる。
【００３４】
また、スロットユニット４に対して矢印Ｅに示す方向に大きな力が加わった場合、スロットユニット４の側面４０ｄが第１の当接部５０ｂに大きな押圧力を与えながら当接する。この時、規制部材５０（特に第１の当接部５０ｂ）が破損することがある。規制部材５０が破損すると、規制部材５０の破片が第１の筐体１の中を自由に移動可能な状態になることがある。本実施の形態では、規制部材５０は樹脂などの絶縁材料で形成されているため、たとえ規制部材５０の破片が、基板１１に配されている導電パターンやコネクタなどの導電部に接触したとしても、導電部において電気的ショートは発生しない。
【００３５】
また、スロットユニット４に対して矢印Ｆに示す方向に大きな力が加わった場合は、上記同様、規制部材５０（特に第２の当接部５０ｃ）が破損することがある。本実施の形態では、規制部材５０は樹脂などの絶縁材料で形成されているため、たとえ規制部材５０の破片が、基板１１に形成されている導電パターンやコネクタなどの導電部に接触したとしても、導電部において電気的ショートは発生しない。
【００３６】
また、スロットユニット４は取り出しレバー４２を備えるため、取り出しレバー４２側における第１の当接部５０ｂの下部筐体１３方向の曲げ距離は、カード収納部４１を介して対向する第２の当接部５０ｃに比べると短く構成せざるを得ない。したがって、スロットユニット４に対して矢印Ｅに示す方向に断続的に力が加わった場合、スロットユニット４の側面４０ｄが第１の当接部５０ｂに摺動することがある。この時、規制部材５０（特に第１の当接部５０ｂ）がスロットユニット４の側面４０ｄによって削られて、粉末状の破片が発生することがある。この粉末状の破片は、第１の筐体１内を自由に移動可能である。しかし、本実施の形態では、規制部材５０は樹脂などの絶縁材料で形成されているため、たとえ規制部材５０の粉末状の破片が、基板１１に配されている導電パターンやコネクタなどの導電部に接触したとしても、導電部において電気的ショートは発生しない。
【００３７】
本実施の形態によれば、スロットユニット４の開口部４１ａ近傍に規制部材５０を配置したことにより、ノートパソコンを床等に落下あるいは外部機器の操作や接続の際に不用意に手が接触してしまい、例えば矢印Ｅに示す方向への衝撃が加わったとしても、当接部５０ｂとスロットユニット４の側面４０ｄとの当接により、スロットユニット４の開口部４１ａ近傍の位置が規制されているため、スロットユニット４は大きく変位しなく、例えば矢印Ｆに示す方向への衝撃が加わったとしても、当接部５０ｃとスロットユニット４の側面４０ｃとの当接により、スロットユニット４の開口部４１ａ近傍の位置が規制されているため、スロットユニット４は大きく変位しない。したがって、スロットユニット４の変形や破損を低減することができ、スロットユニット４を構成している金属部品やスロットユニット４周辺の金属部品の破損や脱落を低減することができる。
【００３８】
また、ノートパソコンに対して例えば矢印Ｅおよび／またはＦに示す方向へ大きな衝撃が加わり、規制部材５０が破損し、規制部材５０の破片が基板１１の導電パターンやコネクタなどの導電部に接触したとしても、本実施の形態の規制部材５０は樹脂などの絶縁材料で形成されているため、導電部において電気的ショートは発生しない。
【００３９】
なお、図５に示したように、第１の当接部５０ｂと側面４０ｄとのスロットユニット４における下部筐体１３方向の当接距離は、第２の当接部５０ｃと側面４０ｃとのスロットユニット４における下部筐体１３方向の当接距離に比べると、取り出しレバー４２のため、短くせざるを得ない。このため矢印Ｅ方向の衝撃が加わった時、規制部材５０とスロットユニット４とが、第１の当接部５０ｂと側面４０ｄとの当接部で、例えば側面４０ｄが下部筐体１３方向にずれる等で、矢印Ｅ方向にスロットユニット４が変位する場合が想定される。
【００４０】
このような場合でも、図７および図８に示すように、規制部材５０の一端に上部筐体１２の内面１２ｂに植立形成したボス１２ａが嵌合する孔部５０ａを備えることで、スロットユニット４の矢印Ｅ方向へのズレを抑制することができ、耐衝撃性を向上させることができる。また、矢印Ｅ方向の衝撃が大きく、孔部５０ａを設けた規制部材５０に割れが生じた場合でも、規制部材５０は絶縁性材料であるため、割れた破片が電気的ショートの原因となる不具合を回避できる。なお、図７及び図８は、図４及び図５に示す規制部材５０に孔部５０ａを備え、上部筐体１２の内面１２ｂにボス１２ａを備えた構成である。
【００４１】
なお、本実施の形態では、図５に示すようにスロットユニット４の側面４０ｄと規制部材５０の第１の当接部５０ｂとを当接させて、スロットユニット４の矢印Ｅに示す方向への変位を規制する構成としたが、図９に示すように取り出しレバー４２と第３の当接部５０ｄとを当接させて、スロットユニット４の矢印Ｅに示す方向への変位を、孔部５０ａとボス１２ａとによる嵌合により規制する構成としてもよい。このような構成とすることで、本実施の形態と同様の効果を得ることができる。なお、図９は、図６に示す規制部材５０に孔部５０ａを備え、上部筐体１２にボス１２ａを備えた構成である。
【００４２】
また、本実施の形態では、孔部５０ａに嵌合するボス１２ａをスロットユニット４に取り出しレバー４２を備える方向のみに設けた場合で説明したが、スロットユニット４の側面４０ｃ側の当接部材５０ｃに孔部を備え、当該孔部に上側筐体１２に一体に植立形成したボスを嵌合するのみの構成であっても、矢印Ｅ方向への変位は抑制することができる。さらに、一対の孔部を規制部材５０の両端面に設け、当該一対の孔部に嵌合する上側筐体と一体に植立形成したボスを備える構成を採用すると、さらに耐衝撃性を向上することができる。
【００４３】
なお、本実施の形態における規制部材５０と上部筐体１２とは、例えば両面接着性テープの貼付や接着剤塗布等による接着固定や、ネジによる螺合固定等を適用することで、互いに固着することができる。
【００４４】
また、本実施の形態では、情報処理装置の一例としてノートパソコンを挙げたが、少なくともスロットユニットを備えた機器であればよい。例えば、ＰＤＡ（Personal Digital Assistant）、携帯型ゲーム機、医療機器などに有用である。ＰＤＡ、携帯型ゲーム機、医療機器などには、近年小型のメモリカードを挿脱可能なスロットユニットを備えていることが多く、このようなスロットユニットにおいても本発明は有用である。
【００４５】
また、本実施の形態では、ＰＣＭＣＩＡカードを一例として挙げたが、少なくともカード状の情報媒体であればよい。また、カード状の情報媒体をスロットユニットに装着した際に、情報媒体の一部がスロットユニットから突出するように保持可能なスロットユニットを備えた情報処理装置であればよい。
【００４６】
また、本実施の形態におけるスロットユニット４は、本発明のスロットユニットの一例である。また、本実施の形態における基板１１は、本発明の回路基板の一例である。また、本実施の形態における第１の筐体１は、本発明の筐体の一例である。また、本実施の形態における規制部材５０は、本発明の規制部材の一例である。
【産業上の利用可能性】
【００４７】
本発明の情報処理装置は、半導体素子を内蔵したカード状媒体を挿脱可能なスロットを有するスロットユニットを備えた装置に有用である。
【符号の説明】
【００４８】
４  スロットユニット
２０  ＰＣＭＣＩＡカード
５０  規制部材
【図１】
2010257080.tif 000003
【図２】
2010257080.tif 000004
【図３】
2010257080.tif 000005
【図４】
2010257080.tif 000006
【図５】
2010257080.tif 000007
【図６】
2010257080.tif 000008
【図７】
2010257080.tif 000009
【図８】
2010257080.tif 000010
【図９】
2010257080.tif 000011
【図１０】
2010257080.tif 000012
【図１１】
2010257080.tif 000013